(57)【要約】【課題】  ユーザーが煩わしさを感じることがなく、容易に中古太陽光発電システムの売買ができる中古太陽光発電システムの売買支援システムを提供する。【解決手段】  購入希望者Ｂは、中古太陽光発電システムを設置する場所の設置条件を売買支援システム１のサーバー４に登録する。売買支援システム１は、その条件の下で登録されている中古太陽光発電システムの性能を評価し、売却希望者Ａ等が売却希望している中古太陽光発電システムのうちから、購入希望者Ｂの希望する性能に合致する中古太陽光発電システム２０を購入希望者Ｂに提示する。これにより、購入希望者Ｂは、設置場所に関する条件に基づき適切に性能評価された中古太陽光発電システム２０についての製品情報を容易に入手し、購入の判断に資することができる。【選択図】      図１
2005322114.tif 000002
【特許請求の範囲】
【請求項１】
通信ネットワークに接続されたサーバーと、前記サーバーに接続されているデータベースとを備えた太陽光発電システムの売買支援システムであって、
売却希望者から前記ネットワークを介して得られた売却したい太陽光発電システムに関する売却製品情報を前記データベースに記憶する売却製品情報記憶手段と、購入希望者から前記ネットワークを介して得られた購入したい太陽光発電システムに関する購入希望製品情報及び設置条件を前記データベースに記憶する購入情報記憶手段と、前記設置条件に基づき前記売却したい太陽光発電システムの性能をシミュレーションするシミュレーション手段と、前記シミュレーション手段の結果が前記購入希望製品情報に適合するか否かを判断する適合判断手段と、前記適合判断手段によって適合すると判断されたとき前記売却したい太陽光発電システムの前記売却製品情報を前記ネットワークを介して前記購入希望者に通知する売却製品情報通知手段とを備えた太陽光発電システムの売買支援システム。
【請求項２】
前記設置条件は前記太陽光発電システムが置かれる屋根・壁・窓・地面の形、サイズ、向き、立地エリア、タイプ及び設置スタイルであり、前記シミュレーション手段は、売却希望される前記太陽光発電システムの前記売却製品情報と前記設置条件とに基づいて、前記太陽光発電システムの少なくとも発電量をシミュレーションする請求項１に記載の太陽光発電システムの売買支援システム。
【発明の詳細な説明】
【技術分野】
【０００１】
この発明は、太陽光発電システムの売買を支援するためのシステムに関する。更に詳しくは、インターネットを含むネットワーク上に設けられた仮想的な店舗において太陽電池システムの売却希望者と購入希望者との間の売買の支援を行うシステムに関する。
【背景技術】
【０００２】
近年、地球温暖化への対応、二酸化炭素の排出抑制など、地球規模で考えなければならない問題に対する意識の高まりと共に、燃料電池などクリーンエネルギーの需要が高まっている。その中でも太陽光エネルギーは資源の制約や環境負荷が少なく、次世代エネルギーとして注目されており、国を挙げて太陽光発電システムの普及促進施策が進められている。しかしながら、太陽光発電システムの普及率は高いものとは言い難いのが現状である。その理由の一つとして、太陽光発電システムが高額商品であることが挙げられる。太陽光発電システムを設置したいと考えるユーザーがいても、高額ゆえなかなか購入まで至らない。
【０００３】
中古製品の売買は、中古車を始め、衣類や本などあらゆる種類の製品で行われている。また、そのような売買の仲介も実際の店舗において行われるものだけでなく、インターネットなどのネットワーク上でも頻繁に行われている。一例として、図１１において画面の例として端末表示される中古車のネット販売がある。取り扱い中古商品の豊富さや、通信機器があればどこでもできるといった魅力から、ネットワークを利用した中古販売市場は急速に拡大している。
【０００４】
そのような状況にありながら、太陽光発電システムの中古販売は行われていない。その理由としては、太陽光発電システムの特殊性があると考えられる。まず第一に車や衣類などのように一般的なものでないため、太陽光発電システムの性能や商品価値をユーザーが評価できないことが挙げられる。また前記の問題に付随して、発電量といった太陽光発電システムの性能が、使用される場所や方角、システムの傾斜角など、ユーザー個別の設置条件によって大きく変わってしまうということが挙げられる。そして、売り手と買い手の取引終了後の太陽光発電システムの取り外しや取り付けにおける設置業社との遣り取りの煩わしさがある。
【０００５】
インターネットを含むネットワーク上に設けられた仮想的な店舗において、中古工作機械の売買を透明性をもって仲介することを可能にするシステム及び方法が提案されている（特許文献１）。このシステム及び方法によれば、システムの仲介によって中古工作機械を売却又は購入することを希望する潜在的な売り主又は買い主がインターネットに接続可能な通信端末から情報を求めると、システムは、仲介の対象となる加工精度等に関する中古工作機械情報が記憶されたデータベースを検索し、求められている情報を通信端末に返送する。提供情報には、従来は不透明であった最新市場価格や当該中古工作機械の詳細な現状も含まれ、それによって、仲介業務の透明性を担保することを図っている。また、システムは、売却希望者がおおよその市場価格を知ることができる簡易査定機能も備えることを提案している。
【０００６】
また、太陽光発電量シミュレーション計算に関して、従来、太陽電池の基準状態（日射強度１ｋｗ／ｍ２、太陽電池温度２５℃）における特性値（Ｉｓｃ，Ｉｃｏ，Ｖｏｐ，Ｖｏｃ，α，β，Ｒｓ，Ｋ）から指定日射強度・太陽電池温度におけるＩ−Ｖ，Ｐ−Ｖカーブを描く一般的な方法が確立していないため、月年間太陽光発電量を汎用的正確にシミュレーション計算をする方法が十分に確立していないという問題がある。こうした問題を解決するため、基準状態のＩ−Ｖカーブから指定した日射強度、太陽電池温度におけるＩ−Ｖを作成する一般的方法として、（１）２５℃、ｂ℃、ｃ℃の基本特性値（ＩＬ、Ｃｏ、Ｒｓｈ、Ｒｓ）を求め、指定温度における各基本特性値を曲線補完により求め、これらの値を用いてニュートン法により各値を求め、Ｉ−Ｖカーブを作成する。（２）基準状態のＩ−Ｖカーブの各点を実用的Ｉ−Ｖカーブ変換式によって変換してＩ−Ｖカーブを作成する。これらの２方法を活用して太陽光発電量シミュレーション計算プログラムの中核部分として発電量のシミュレーション計算をすることが提案されている（特許文献２）。
【０００７】
【特許文献１】特開２００２−２４５２８３号公報（段落［００１３］〜［００１６］、図１〜図２）
【特許文献２】特開２００２−２７０８７７号公報（段落［００１６］〜［００２１］、図１〜図５）
【発明の開示】
【発明が解決しようとする課題】
【０００８】
このように購入を希望するユーザーがいる一方で、転居や住居の改築等の理由から太陽光発電システムを売却したいと考えるユーザーも存在する。したがって、両者のニーズをうまくマッチングさせるシステムがあれば、既存の太陽光発電システムを有効利用でき、さらには太陽光発電システム市場の活性化につながると考えられる。そこで、売却希望者が売却を希望する売却製品と、購入希望者が購入しようとする製品情報及び設置条件とを照合して双方の希望が適うことを実現可能にする売買支援システムを構築する点で解決すべき課題がある。
【０００９】
この発明の目的は、上記の問題点を考慮してなされたものであり、その目的は、ユーザーが煩わしさを感じることがなく、容易に太陽光発電システムの売買ができる太陽光発電システムの売買支援システムを提供することである。
【課題を解決するための手段】
【００１０】
上記の課題を解決するため、この発明による太陽光発電システムの売買支援システムは、通信ネットワークに接続されたサーバーと、前記サーバーに接続されているデータベースとを備えた太陽光発電システムの売買支援システムであって、売却希望者から前記ネットワークを介して得られた売却したい太陽光発電システムに関する売却製品情報を前記データベースに記憶する売却製品情報記憶手段と、購入希望者から前記ネットワークを介して得られた購入したい太陽光発電システムに関する購入希望製品情報及び設置条件を前記データベースに記憶する購入情報記憶手段と、前記設置条件に基づき前記売却したい太陽光発電システムの性能をシミュレーションするシミュレーション手段と、前記シミュレーション手段の結果が前記購入希望製品情報に適合するか否かを判断する適合判断手段と、前記適合判断手段によって適合すると判断されたとき前記売却したい太陽光発電システムの前記売却製品情報を前記ネットワークを介して前記購入希望者に通知する売却製品情報通知手段とを備えることから成っている。
【００１１】
この太陽光発電システムの売買支援システムによれば、売却希望者からネットワークを介して得られた売却したい太陽光発電システムに関する売却製品情報を売却製品情報記憶手段によってデータベースに記憶しておく。購入希望者からネットワークを介して得られた購入したい太陽光発電システムに関する購入希望製品情報及び設置条件が購入情報記憶手段によってデータベースに記憶されると、売買支援システムに備わるシミュレーション手段が、購入希望者の太陽光発電システム設置条件に基づいて、売却したい太陽光発電システムの性能をシミュレーションする。売買支援システムに備わる適合判断手段は、シミュレーション手段の結果が購入希望製品情報に適合するか否かを判断する。適合判断手段によって適合すると判断されたとき、売却製品情報通知手段は売却希望者が売却したい太陽光発電システムの売却製品情報をネットワークを介して購入希望者に通知するので、購入希望者はネットワークを介して設置条件等を満たす太陽光発電システムを知ることができ、太陽光発電システムの購入の具体的な検討が可能となる。
【００１２】
この太陽光発電システムの売買支援システムにおいて、前記設置条件は前記太陽光発電システムが置かれる屋根・壁・窓・地面の形、サイズ、向き、立地エリア、タイプ及び設置スタイルであり、前記シミュレーション手段は、売却希望される前記太陽光発電システムの前記売却製品情報と前記設置条件とに基づいて、前記太陽光発電システムの少なくとも発電量をシミュレーションする。太陽光発電システムについての設置条件としては、太陽光発電システムが置かれる屋根の形・サイズ、屋根の向き、立地エリア、屋根載せタイプ、及び設置スタイル等があげられる。売却希望される太陽光発電システムをそのような設置条件に置いたときに、太陽光発電システムの発電量がシミュレーション手段によって予測される。そうした予測結果が、購入希望者の購入希望製品情報と照合されて、適合判断手段によって購入希望条件と適合するか否かが判断される。
【発明の効果】
【００１３】
この発明に係る中古太陽光発電システムの売買支援システムは、以上のように、購入希望者が中古太陽光発電システムを設置する場所の設置条件を登録し、その条件の下で登録されている中古太陽光発電システムの性能を評価し、購入希望者の希望する性能に合致するものを購入希望者に通知する。これにより、中古太陽光発電システムの購入希望者は、設置場所に関する条件に基づき適切に性能評価された中古太陽光発電システムの製品情報をネットワークを介して容易に入手して、購入の判断に利用することができる。
【発明を実施するための最良の形態】
【００１４】
以下、添付した図面に基づいて、この発明による中古太陽光発電システムの売買支援システムの実施例を説明する。図１は、この発明による中古太陽光発電システムの売買支援システムの全体を示すブロック図である。図１に示すように、中古太陽光発電システム売買支援システム（以下、「売買支援システム」と略す）１は、インターネット２に接続されている。売買支援システム１によって中古太陽光発電システム（以下、「中古発電システム」と略す）２０を売却又は購入することを希望する潜在的な売り主又は買い主は、インターネット２に接続することができるパーソナル・コンピュータや携帯電話のような一般的な端末（図示の例は、パーソナル・コンピュータ）３を有していれば、それ以外に特別の装置は不要である。従って、インターネット２への接続環境さえ有していれば、誰でも潜在的な売り主又は買い主になり得る。もちろん、本発明による売買支援システム１は、顧客管理やセキュリティなどの理由により、利用者に事前の登録を求めることもできる。
【００１５】
売買支援システム１は、仲介の対象となる中古発電システムに関する情報が記憶されているデータベースを備えたサーバー４で構成される。売買支援システム１からインターネット２への接続環境は、電話回線、経路制御装置、ＬＡＮ等のように当業者には周知の通常のものであって、格別に新規な技術は用いられていない。売買支援システム１の概要は次の通りである。ユーザーＡが使用していた太陽電池パネルのような中古発電システム２０に売却事由が生じた場合、売却希望者となったユーザーＡは、端末３ａの操作によって、売却時期、機種・性能・製造年等の売却製品情報、売却希望価格等を入力データとして入力し、インターネット２を通じて売買支援システム１に登録する。これらの売却情報は売却製品情報記憶手段６によって売買支援システム１のサーバー４内のデータベース５に記憶される。購入希望者Ｂは、希望する中古発電システムの製品情報、設置条件等を端末３ｂの操作によって同じくインターネット２を通じて売買支援システム１に登録する。これらの購入情報は購入情報記憶手段７によって同じくデータベース５に記憶される。売買支援システム１に備わるシミュレーション手段８は、売却製品の販売データや購入希望者の設置条件をも入手して予測発電量等についてシミュレーションを行う。売買支援システム１に備わる適合判断手段９は、シミュレーション手段８によるシミュレーション結果が購入希望製品情報に適合するか否かを判断する。適合判断手段９によって適合すると判断されたとき、売却製品情報通知手段１０は、売却希望されている太陽光発電システム２０の売却製品情報を、ネットワーク２を介して購入希望者Ｂに通知する。
【００１６】
本発明の売買支援システム１をインターネット２上で公開することによって、売買支援システム１を利用する売り主又は買い主の数は増加し、双方のマッチングの可能性は飛躍的に高まる。売り手は売買支援システム１にアクセスし、売却を希望する中古発電システム２０の情報について登録する。この仕組みは、現在、インターネット２上でよく見られるオークション・サイトへの出品申込みの仕組みと類似したものである。登録の際、売り主は、変換効率やアモルファスシリコンといった種類などの情報を入力する。またそのような詳細情報を入力する代わりに、売却予定の中古発電システム２０のメーカー名や使用年数を入力し、予め記憶されている製品データから売却予定の中古発電システムの製品情報を取り出してもよい。
【００１７】
本実施例では、本発明の売買支援システムのウェブ上でのシステム名を仮に「ソーラーリユースショップ」とする。図２は、図１に示す売買支援システムにおける買い主の端末３の表示画面の一例を示す図である。中古発電システムは、太陽電池を屋根に配設して用いる太陽電池発電システムであるとする。中古発電システムの購入希望者が、入力する手段（キーボード、マウス等）によって、購入したい中古発電システムのデータとしての設置条件のうち、中古発電システムを設置する住宅の屋根の形状を入力する段階の画面である。屋根の形としては、例えば、陸屋根、片流れ、切妻、方形、寄棟、入母屋があり、買い主は設置する屋根の形状に最も近いものを、これらの選択肢から選ぶ。選択した後に、「ＯＫ」を選択すると、次の図３に示す画面に進む。
【００１８】
図３は、図２の画面で選択した屋根の形状の寸法を入力する画面の一例を示す図である。ここでは切妻の屋根が選択された場合が示されており、その切妻の屋根の横幅を「１０ｍ」、縦幅を「８．５ｍ」、高さを「３ｍ」と入力している。本実施例では、数値を０．５ｍ単位とし、入力はプルダウン方式になっているが、必ずしもこれに限定されるわけではなく、入力の最小単位をもっと細かくしてもよく、直接数値を入力する方式としてもよい。寸法を入力し、「ＯＫ」を選択すると、次の図４に示す画面に進む。
【００１９】
図４は、中古発電システムを設置される屋根の向きと設置される建物の立地エリアとを選択する画面の一例を示す図である。本実施例では、「東西南北」を付した円の中に、先に選択した切妻屋根を真上から見た図が示されており、この屋根の図を設置される屋根の方角に合わせて回転させることができる。このような入力方法以外に、直接、「東西南北」を入力する方式としてもよいし、プルダウンメニューで「東西南北」を選択する方式としてもよい。また、立地エリアについては、日本地図が図示されており、買い主は中古発電システムが設置される建物が立地する都道府県を地図上から選択する。立地エリアについても、この入力方式に限定されるものではなく、例えば、都道府県レベルではなく市町村レベルといった更に詳細な立地エリアを選択するものとしてもよい。こうして、屋根の向きをおよび立地エリアを選択したら「ＯＫ」を選択し、次の図５に示す画面に進む。
【００２０】
図５は、購入したい中古発電システムの屋根載せタイプと設置スタイルを入力する画面の一例を示す図である。ここでは、太陽電池システムの屋根載せタイプとして、「和風瓦屋根上載せタイプ」、「スレート屋根上載せタイプ」、「板金・波板屋根上載せタイプ」、「屋根一体型タイプ」、「陸屋根据え置きタイプ」が挙げられているが、これらに限定されるものではなく、その他の太陽電池システムがあれば、選択肢に追加すれば良い。買い主は、これらの選択肢から設置される屋根に適したものをチェックする。また、設置スタイルとは、例えば、本実施例の切妻屋根の場合であれば、屋根の傾斜面の１面に設置するか、２面に設置するかを言い、買い主はいずれか希望するスタイルをチェックする。当然ながら、切妻以外の屋根の場合であれば、それぞれの屋根に応じた選択肢が表示される。こうして、購入したい中古発電システムの屋根載せタイプと設置スタイルを選択したら、「ＯＫ」を選択し、次の図６に示す画面に進む。
【００２１】
図６は、太陽電池システムを選択する条件の優先順位の設定及び更に各選択条件について設定する画面の一例を示す図である。選択条件の優先順位付けについては、ここでは「発電量」、「価格」、「製造年」、「変換効率」、「種類」が挙げられており、買い主は各項目の下にあるプルダウンメニューによって優先順位を設定する。この場合であれば、「発電量」、「価格」を最優先とし、その後に「製造年」、「変換効率」、「種類」と続く。さらにこの画面では、「最低発電量」、「上限価格」、「以降の製造年」、「最低変換効率」、「種類」について設定できる。本実施例では、各項目の下のプルダウンメニューによって、「最低発電量」を「２ｋｗ」、「上限価格」を「１００万円」、「製造年」を「２０００年以降」と設定し、「最低変換効率」、「種類」については指定していない。選択条件の優先順位及び各選択条件を設定したら、「ＯＫ」を選択し、次の図７に示す画面に進む。
【００２２】
図７は、これまで設定してきた条件の確認画面の一例を示す図である。本実施例では、これまで設定した条件として、「屋根の形・サイズ」、「屋根の向き」、「立地エリア」、「屋根載せタイプ」、「設置スタイル」、そして「優先順位」が表示されている。このとき、設定項目について誤りがある、あるいは修正したいといったような場合は、修正した項目を選択すれば、選択された項目の選択画面に切り換わり、条件を設定し直す。この確認画面において、修正事項がなければ、「ＯＫ」を選択する。
【００２３】
確認された入力データをもって、予め記憶された中古発電システムについての情報との適合評価検索が行われる。設定された各条件を基に、データベースに記憶されている、売り主によって登録された中古太陽光発電システムとの検索を行う。まず、買い主によって入力された設置条件の下で、データベースに登録されている中古発電システムの性能をシミュレーションする。本実施例であれば、「屋根の形・サイズ」、「屋根の向き」、「立地エリア」、「屋根載せタイプ」、「設置スタイル」の各設定条件の下での、予測発電量を求める。こうしてシミュレーションによって求められた性能を、先に設定された選択条件である「２ｋｗ以上」と比較する。この比較結果に基づいて、「２ｋｗ以上」を含めた他の選択条件を満たす中古発電システムが図８に示す画面で表示される。
【００２４】
図８は、買い主の選択条件に基づいて検索され、選択条件に適合した商品を表示する画面の一例を示す図である。適合した各中古太陽光発電システムについて、太陽電池の種類、製造年、発電効率などの製品情報が表示される。該当件数が多い場合は、「絞込み選択」を選択する。例えば、現在指定されていない「最大効率」や「種類」の選択条件を設定することによって、該当件数の絞込みを行うことができる。また選択条件を変更した場合は、「再選択」を指定すればよい。各中古発電システムの項目欄には「詳細」があり、これを選択すればその中古太陽光発電システムについて、図９に示すようにさらに詳細な情報が表示される。また、各中古発電システムの項目欄には「在庫確認チェック」のボックスがある。このボックスをチェックし、「ＯＫ」を選択すれば、在庫を確認できるともに、仮予約、見積りに進むことができる。
【００２５】
図９は、先の図８の画面において「詳細」が選択された中古発電システムの詳細情報の表示画面である。ここでは、購入希望者が入力した条件において、選択表示されたリユース太陽電池システムがどのような性能を示すかが予測として表示されている。この例では、設置地域、家の方向、屋根の角度なども関連付けて、発電量の実効値予測が数値で表示されている。また、太陽電池システムの外観写真や設置枚数、パワーコンディショナーが表示されている。さらに、搬送・移設工事費用などを含めた購入から設置までにかかる合計金額が表示されている。
【００２６】
図１０は、この発明による中古太陽光発電売買支援システムに使用されるシステムフローの概要を示している。中古太陽光発電売買支援システム１において、サーバーの中核に位置するプロセッサ１１には、売却希望者であるユーザーＡの中古発電システムの売却要望データが、ユーザーＡによる端末３ａのパソコン操作によって通信ネットワークを介して送信される。また、ユーザーＡが居住する地域の日照データ及びユーザーＡに販売した太陽電池データもプロセッサ１１に送られる。一方、購入希望者であるＢの購入要望データや太陽電池設置条件も端末３ｂのパソコン操作によって通信ネットワークを介しプロセッサ１１に送信される。更に、プロセッサ１１には、Ａが居住する地域の日照データが送られる。プロセッサ１１は、売却希望者又は購入希望者によるパソコン操作に応答して図２〜図９に示すような画面表示を行うプログラムＰＡ，ＰＢ，ＰＣ・・・を実行し、これらの情報をデータベース５（図１参照）に記憶させる。
【００２７】
上記の実施例では、本発明によるネットワーク上での売買支援の対象となる中古太陽光発電システムとして、屋根設置型の太陽電池を挙げて説明したが、壁や窓、或いは地面上に設置される型式であってもよいことは明らかである。それぞれの型式において形、サイズ、向き、立地エリア、タイプ、設置スタイルが、設置条件として登録・利用される。
【００２８】
本発明による売買支援システムで取引契約が成立した中古太陽光発電システムについては、契約成立後の取引形態は、売買の他に、リ−スやレンタル、ロ−ンであってもよい。また、希望条件に合致する中古発電システムが見つからなかった場合には、買い主が自己のメ−ルアドレスや電話番号等の連絡手段を登録し、希望条件に合致する商品が本システムに登録され次第、買い主に通知するシステムを組み込むことができる。更に、売却希望者が登録した売却製品情報を基に、中古太陽光発電システムの引き取り業者が計算した下取り価格や廃棄処分価格などを提示することもできる。
【産業上の利用可能性】
【００２９】
上記の実施例では、本発明をネットワーク上での中古太陽光発電システムの売買の仲介として説明したが、売却側を、新品を含む製品を販売する販売店又は中古太陽光発電システムを引き取った又は売却依頼を受けた業者としても利用可能である。新品を含む製品を販売する場合には、中古で購入する場合と新品で購入する場合との価格比較をすることができる。
【図面の簡単な説明】
【００３０】
【図１】この発明による中古太陽光発電売買支援システムの概要を示す図である。
【図２】図１に示す中古太陽光発電売買支援システムにおける買い主の端末の表示画面の一例を示す図である。
【図３】入力データのうち、太陽光発電システムを搭載する住宅の屋根の大きさを入力する段階の画面を示す図である。
【図４】入力データのうち、太陽光発電システムを搭載する住宅の位置と向きを入力する段階の画面を示す図である。
【図５】入力データのうち、太陽光発電システムの屋根載せタイプと設置スタイルを入力する段階の画面を示す図である。
【図６】入力データのうち、太陽電池システムを選択する条件の優先順位の設定及び更に各選択条件について設定する画面の一例を示す図である。
【図７】入力データの確認画面の一例を示す図である。
【図８】図７の検索により選択されたリユース太陽電池システムが一覧表示された画面である。
【図９】買い主の選択条件に基づいて検索され、選択条件に適合した商品を表示する画面の一例を示す図である。
【図１０】この発明による中古太陽光発電売買支援システムに使用されるシステムフローの概要を示す図である。
【図１１】中古車ネット販売の画面の一例を示す参考図である。
【符号の説明】
【００３１】
１  中古太陽光発電売買支援システム
２  インターネット
３（３ａ，３ｂ，３ｃ・・・）  端末
４  サーバー
５  データベース
６  売却製品情報記憶手段
７  購入情報記憶手段
８  シミュレーション手段
９  適合判断手段
１０  売却製品情報通知手段
１１  プロセッサ
２０  中古太陽光発電システム
Ａ  ユーザー（売却希望者）
Ｂ  購入希望者
【図１】
2005322114.tif 000003
【図２】
2005322114.tif 000004
【図３】
2005322114.tif 000005
【図４】
2005322114.tif 000006
【図５】
2005322114.tif 000007
【図６】
2005322114.tif 000008
【図７】
2005322114.tif 000009
【図８】
2005322114.tif 000010
【図９】
2005322114.tif 000011
【図１０】
2005322114.tif 000012
【図１１】
2005322114.tif 000013